(57)【要約】      （修正有）【課題】貴金属封入体として正規品を使用し、内部の貴金属塊自体のみを取り出し、貴金属塊を模造品に置き換えて封入する不正の対処が可能な貴金属封入体およびその真贋判定方法を提供する。【解決手段】透明な包装容器内に金の延べ板１１が収納された貴金属封入体１において、金の延べ板１１自体に赤外線吸収インキ１２が印刷されていることを特徴とする貴金属封入体１であり、貴金属封入体１の真贋判定は赤外線発光装置にて貴金属封入体１に赤外線を照射し、赤外線が照射された金の延べ板１１を赤外線カメラにより撮像し、撮像結果から真贋判定することを特徴とする。【選択図】図１
2009153799.tif 000002
【特許請求の範囲】
【請求項１】
透明な包装容器内に貴金属塊が収納された貴金属封入体において、貴金属塊自体に赤外線吸収インキが印刷されていることを特徴とする貴金属封入体。
【請求項２】
他に、価値情報を出力可能な非接触ＩＣタグが含まれていることを特徴とする請求項１記載の貴金属封入体。
【請求項３】
赤外線発光装置にて金属封入体に赤外線を照射し、赤外線が照射された貴金属塊を赤外線カメラにより撮像し、撮像結果から真贋判定情報を判定することを特徴とする貴金属封入体の真贋判定方法。
【請求項４】
非接触ＩＣタグ交信装置により非接触ＩＣタグから価値情報を受信して価値判断も行うことを特徴とする請求項３に記載の貴金属封入体の真贋判定方法。
【発明の詳細な説明】
【技術分野】
【０００１】
本発明は、パチンコ店が顧客に出す景品を客が換金する際の３点方式によるパチンコ特殊景品の様な、有価的価値を有し、しかも交換の対象になる様な不正行為が行われやすい貴金属封入体およびその真贋判定方法に関する。
【背景技術】
【０００２】
パチンコ店では客が取得したパチンコ玉の数に応じて希望の景品を提供している。しかし景品の換金を希望する客にはパチンコ業界では「特殊景品」と呼称している換金用の景品が渡される。この場合景品は別組織の景品交換所で買取られ、景品交換所はこれをさらに別組織の景品問屋に売り、景品問屋は再び景品をパチンコ店に卸す図４に示す三点方式が認められており、景品交換所からパチンコ店に景品を直接売ることは禁じられている。
【０００３】
従来これらの処理はすべて人手によって行われていた。この場合景品が菓子や雑誌のような雑多な形状、大きさのものでは取扱にきわめて不便であるから、景品をライター石、ペンシル等に単純化して循環させる方式がとられているが、価値的に取り扱い易い貴金属塊を封入した貴金属塊封入体が良く用いられている。しかしそれでも景品交換所における人手による換金は、事務が煩雑で時間を要し、誤計算を生じ易く、景品の流れの管理がむつかしく、時として不正、すなわちパチンコ店と景品交換所との直接取り引き、または模造品の交換等を生じ易いという多くの問題があった。そこで交換景品を単純化し、模造品の交換を防止するため、従来はバーコード方式、ＣＣＤカメラによる観察、重量測定等により一部自動化する等の方法が講じられた。
【０００４】
この様な場合に用いられる貴金属封入体として模造品を排除するため、特許文献１や特許文献２の様な技術が用いられる。
【０００５】
すなわち、特許文献１では、表裏面の一方又は双方に挿入部をもつカード基材と、前記カード基材の表面であって、少なくとも前記挿入部の周辺に設けられた額縁部と、前記挿入部に挿入される貴金属片と、前記カード基材に積層され前記貴金属片が目視できる透明又は半透明の被覆層と、前記貴金属片の一部又は全部及び前記額縁部の少なくとも３辺を枠状に残すように前記被覆層の表面に形成された印刷層と、から構成した貴金属封入カードを用いるものであり、透明又は半透明の被覆層で覆われているので、貴金属片を外部から視認できるとともに、取り出して質の悪い贋物と入れ換えられることがないとしている。
【０００６】
また、特許文献２では、制御基板を有する特殊景品に景品問屋で識別情報を書込み、これをパチンコ店を経由して景品交換所に持込み、そこで識別情報を読取り、使用可能情報を消去し精算機で精算した後、消去した特殊景品を景品問屋に持込み、ここで特殊景品に使用可能情報を書込んだ後パチンコ店に納品して循環使用することを特徴とする３点方式によるパチンコ特殊景品情報処理方法を提供するものであり。これにより、使用可能情報を書込んでいないパチンコ特殊景品の不正使用を防止することを可能にするものである。
【０００７】
なお、赤外線吸収インキを用いた印刷物の例として、特許文献３、４の様な発明が公知である。
【０００８】
以下に先行技術文献を示す。
【特許文献１】特開平７−２４６２８１号公報
【特許文献２】特開平５−０６４８６１号公報
【特許文献３】特開平７−０６８９８２号公報
【特許文献４】特開２０００−３０９７３６号公報
【発明の開示】
【発明が解決しようとする課題】
【０００９】
しかし、上記特許文献１や２の様なシステムに対し、貴金属封入体として正規品を使用し、内部の貴金属塊自体のみを取り出し、貴金属塊を模造品に置き換えて封入する不正が行われ、この場合には不正の対処ができなかった。
【００１０】
これに対し、貴金属塊自体の抜き取り、すり替えの対処方法としては、封入体の蓋等に封印シールを貼る方法があったが、別な所から取り出す等の手段には対抗できなかった。
【００１１】
また、貴金属塊自体とその土台とに蛍光インクによる割り印を行う方法もあったが、目視判定しかできなかった他、この様な真贋判定技術を用いたことが目視で判断でき、それだけすり替え等が容易であった。
【００１２】
この様な状況のもと、貴金属塊に類似した、例えば金に類似した真鍮等を利用したすり替えに対応する必要が生じていた。
【課題を解決するための手段】
【００１３】
本発明に於いて上記課題を達成するために、まず請求項１の発明では、透明な包装容器内に貴金属塊が収納された貴金属封入体において、貴金属塊自体に赤外線吸収インキが印刷されていることを特徴とする貴金属封入体を提供するものである。
【００１４】
また、請求項２の発明では、他に、価値情報を出力可能な非接触ＩＣタグが含まれていることを特徴とする請求項１記載の貴金属封入体を提供するものである。
【００１５】
また、請求項３の発明では、赤外線発光装置にて金属封入体に赤外線を照射し、赤外線が照射された貴金属塊を赤外線カメラにより撮像し、撮像結果から真贋判定情報を判定することを特徴とする貴金属封入体の真贋判定方法を提供するものである。
【００１６】
また、請求項４の発明では、非接触ＩＣタグ交信装置により非接触ＩＣタグから価値情報を受信して価値判断も行うことを特徴とする請求項３に記載の貴金属封入体の真贋判定方法を提供するものである。
【発明の効果】
【００１７】
本発明は以上の構成であるから、下記に示す如き効果がある。
【００１８】
貴金属封入体として正規品を使用し、内部の貴金属塊自体のみを取り出し、貴金属塊を模造品に置き換えて封入する不正が行われても、その貴金属塊自体の真贋が判定でき、不正が行われたことを判定することができ、しかも貴金属塊自体に単に蛍光インキを印刷しておく様な場合に比べて、別の新たな技術による真贋判定対策が施されている事を（不正を行おうとする者が）察知することがけっして容易でなく、しかもその真贋判定情報の内容を目視で判断することが容易でない。
【００１９】
このため、貴金属封入体の従来の真贋判定対策に比べて、一層の不正防止（又は予防）効果が期待できるものとなっている。
【００２０】
さらに、貴金属塊の他に、価値情報を出力可能な非接触ＩＣタグが含まれていることにより、非接触ＩＣタグにその交換価格や玉数等の価値情報を交信可能により、複数の貴金
属封入体があっても適切に処理することが可能になる。
【発明を実施するための最良の形態】
【００２１】
以下、本発明の実施の形態を図面に基づいて詳細に説明する。
【００２２】
本発明における貴金属塊は、金、プラチナの他、銀、パラジウム、ロジウム、イリジウム、ルテニウム、オスミウム等や１８金等のその合金などのインゴット、バーやコインの他、ネクタイピン、カフス等の宝飾状態になっている場合を含む。
【００２３】
貴金属塊は、その表面に、可視光線では透明であるが赤外線は吸収する性質の赤外線吸収インキが印刷等の技術で真贋判定情報がパターン付与されている。本発明においては赤外線吸収インキの有無のみにより真贋を判定するものでもよいが、一般的には特定のパターンにより真贋を証明する様な文字・記号・模様等の各種パターンが用いられる。
【００２４】
赤外線吸収インキに配合される赤外線吸収物質としては、例えばＩＴＯ（インジウム−錫酸化物）の粉末や、下記構造式（Ｉ）で示される化合物が適用される。
【００２５】
ＩＴＯ粉末の平均一次粒子径は透明性の視点から、０．２μｍ以下、好ましくは０．１μｍ以下とする。ＩＴＯ粉末中の錫ドープの量は、モル比で０．０１〜０．２となる晒囲が好ましい。ＩＴＯ粉末は、インジウムと錫の水溶塩をアルカリで水酸化物として共沈させて洗浄した後、大気中で加熱燃成することにより得られた粉末を、不活性ガス中で加熱処理することにより得ることができる。
【００２６】
【化１】
2009153799.tif 000003
但し、式中、ｎは１又は２の自然数、Ｒは水素又は炭素数１〜１２好ましくは炭素数２〜５のアルキル基を示す。また、Ｘ-は過塩素酸塩（ＣｌＯ4-）、フッ化ホウ素酸塩（ＢＦ4-）、トリクロル酢酸塩（ＣＣｌ3ＣＯＯ-）、トリフルオロ酢酸塩（ＣＦ3ＣＯＯ-）、ヘキサフルオロアンチモン酸塩（ＳｂＦ６-）、ベンゼンスルフォン酸塩（Ｃ6Ｈ5ＳＯ3-）、エンタスルフォン酸塩（Ｃ2Ｈ5ＳＯ3-）、及び、燐酸塩（ＰＯ43-）のいずれか又はこれ等の混合物を示している。
【００２７】
赤外線吸収インキの赤外線吸収物質以外の成分としては、例えば紫外線硬化樹脂成分の場合で説明すれば、プレポリマー・モノマー・光重合開始剤・補助剤等からなる。
【００２８】
プレポリマーとしてはエポキシアクリレート、エポキシ化油アクリレート、ウレタンアクリレート、不飽和ポリエステル、ポリエステルアクリレート、ポリエーテルアクリレート、ビニル／アクリレート、ポリエン／チオール、シリコン、ポリブタジエン、ポリスチリルエチルメタクリレートなどが挙げられる。
【００２９】
また、モノマーとしては単官能モノマー、２官能モノマー、多官能モノマーがあり、溶剤としての役割も有している。単官能モノマーとしては、ｔ−ブチルアミノエチルメタクリレート、２−シアノエチルアクリレート、シクロヘキシルアクリレート、シクロヘキシルメタクリレート、ジシクロペンテニルアクリレート、ジシクロペンテニロキシエチルアクリレート、ジシクロペンテ二回キシエチルメタクリレート、２（２−エトキシエトキシ）エチルアクリレート、２−エトキシエチルアクリレート、２−エチルヘキシルアクリレート、ｎ−ヘキシルアクリレート、２−ヒドロキシエチルアクリレート、２−２−ヒドロキシエチルメタクリレート、ヒドロキシプロビルアクリレート、イソボルニルアクリレート、イソボルニルメタクリレート、イソデシルアクリレート、イソデシルメタクリレート、イソオクチルアクリレート、ｎ−ラウリルアクリレート、２−メトキシエチルアクリレート、２−フェノキシエチルアクリレート、ステアリルメタクリレート、トリデシルメタクリレート、Ｎ−ビニルビロリドン、テトラヒドロフルフリールアクリレート、グリシジルメタクリレートなどが挙げられる。
【００３０】
２官能モノマーとしては、ネオペンチルグリコールアクリレート、ポリエチレングリコール２００ジアクリレート、ビスフェノールＡエトキシエトキシジアクリレート、トリプロピレングリコールジアクリレート、テトラエチレングリコールジアクリレートなどが挙げられる。
【００３１】
多官能モノマーとしては、ペンタエリスリトールトリアクリレート、トリメチロールプロパントリアクリレート、プロポキシトリメチロ一ル、プロパントリアクリレート、ジペンタエリスリトールヘキサアクリレートなどが挙げられる。
【００３２】
さらに、光重合開始剤としては光ラジカル発生剤であり、分子内結合開裂型と分子間水素引き抜き型が知られており、分子内結合型としては、ペンヅイソブチルエーテル、ベンジルジメチルケタール、ジエトキシアセトフェノン、アシロキシムエステル、色素化アセトフェノン、ヒドロキシアセトフェノン、アシルホスフェンオキサイドなどが挙げられ、また分子間水素引き抜き型としては、ベンゾフェノン、ミヒラ−ケトン、ジペンゾスペロン、２一エチルアンスラキノン、イソブチルチオキサンソン、ベンジルなどが挙げられる。
【００３３】
加えて、ｎ−ブチルアミン、ジ−ｎ−ブチルアミン、トリ−ｎ−ブチルホスフィンアリルチオ尿酸などのアミン類、スルホン類、ホスフィン類が増感効果を有する光重合開始助剤として添加される。
【００３４】
また印刷適正向上のためにワックス、ワセリン、ポリエステ、ル、エポキシ、トリアジン樹脂などの非反応性樹脂や表面改質剤が添加される。
【００３５】
尚、本発明では、係る赤外線吸収インキが印刷されていることが容易には悟られない方が非常に好ましいので、例えば、赤外線吸収インキは望ましくは無色で透明とか、又は、淡い色のものが好ましい。その場合、本明細書に例示されているような赤外線吸収物質等を採用してよい。また、係る赤外線吸収インキの光沢についても同様の理由から、係る貴金属の光沢になるだけ近い方が好ましい。光沢は、赤外線吸収インキの成分を公知の技術を用いて調整すれば良い。
【００３６】
貴金属塊を封入している包装体は、すくなくともその貴金属塊の表面に設けられた真贋判定情報が赤外線可視であり、かつ可視光線で可視である様な透明な材質で設けられている。従って、その材質はプラスチック等の透明樹脂で固められているものの他、開封不可能な形状の、蓋部分が透明な容器等、フィルムでシュリンクされてりる包装、その他内容物が容易に取り出し不可能な密封性があり、しかも内容物たる貴金属塊の表面が目視および赤外線可視である容器であれば良い。
【００３７】
また、取り扱う貴金属封入体が複数ある場合、必要に応じてその価値情報を交信可能な非接触ＩＣ媒体を封入すると取り扱いが便利になる。
【００３８】
図２に本発明の一実施例である非接触ＩＣ媒体の外観透視図を示す。カード形状の非接触ＩＣ媒体１には、２．４５ＧＨｚ、９５０ＭＨｚ等の搬送周波数帯を使う電波方式のＩＣ２１および半波長ダイポールアンテナの形状を持つアンテナ２２を備えるＩＣインレットが内装されている。ＩＣ２１にはユーザーが書き換えることができない識別情報が記憶され、外部の読み取り装置とは前述の搬送周波数帯を使う電波方式の無線通信によって、前述の識別情報の読み取りが可能になっている。
【００３９】
この場合の識別情報は、交換価格や玉数の様な価値情報だけでもよいが、真贋判定にも利用する情報や、その他の情報を含むものであっても構わない。
【００４０】
ＩＣインレットは、ＰＥＴ、ポロイミド、紙などの基材の上に、アルミ、銅などのエッチングアンテナ、または銀ペーストインキによる印刷アンテナなどが形成され、これらのアンテナ２２にＩＣ２１が実装されたものである。アンテナ２２とＩＣチップ２１とは、ＡＣＰ（異方向導電ペースト）／ＡＣＦ（異方向導電フィルム）の熱加圧、超音波によるフリップチップ実装、またはワイヤーボンディングなどにより接続されている。
【００４１】
図４は非接触ＩＣタグ１３の断面図であり、非接触ＩＣタグ１３の層構成を説明する為の図である。塩ビ、ＰＥＴ、アクリル、ポリカーボネイト、紙などの材料を用いた第１基材８および第２基材９に挟まれる形でＩＣインレット４がこれら基材に間に内装されており、接着層７によってそれら全てが接着固定されている。接着層７の材料としてはアクリル、エポキシなどの樹脂系の接着剤、ホットメルトなどが使用される。
【００４２】
真贋判定機は、例えばパチンコの景品交換所の様なところに設置される。パチンコの景品交換所に持込まれた貴金属封入体１を読取機２７の載置台上に複数個載せて、識別情報を読取る場合の手順の詳細を図３によって説明する。
【００４３】
図示しない電源スイッチを入れると、読取機２７の載置台から順次検査領域に1個ずつ搬送される。検査領域に達した貴金属封入体１は、図５に示す様に、非接触ＩＣタグ動作用１次コイル５１から貴金属封入体１の非接触ＩＣタグの動作用２次コイル５２に電力が変圧器結合により送られて制御基板５３が活性化し、貴金属封入体１のＲＯＭ５４、ＥＥＰＲＯＭ５５に書込まれている識別情報を、ＣＰＵ５６、読取ヘッド５７、読取用２次コイル５８から読取機２７の読取用１次コイル５１、読取インターフェイス５９を通って読取機本体（図示せず）に送られる。
【００４４】
同時に赤外線照射装置が作動し、貴金属封入体の貴金属塊の表面にある真贋判定情報が設けられている領域を照射する。このとき、赤外線吸収インキがある領域では赤外線は吸収されるが、他の領域においては赤外線は反射する。
【００４５】
この様に赤外線の吸収と反射が行われている貴金属封入体の貴金属塊の表面にある真贋判定情報が設けられている領域を同時に赤外線カメラで撮像し、この赤外線吸収インキのパターンを読み取り、必要に応じてパターン認識し、真贋判定情報を取得する。
【００４６】
その結果の真贋判定において貴金属塊がすり替えられたものではないと判定した場合は、非接触ＩＣ媒体から得られた価値情報を持つ貴金属封入体であると判定する。
【００４７】
他方、その結果の真贋判定において貴金属塊がすり替えられたものと判定した場合は、買取を行わないとともに、必要に応じて警報などが作動する様にしても構わない。
【実施例】
【００４８】
本発明の１実施例を図面を用いて以下説明する。
【００４９】
貴金属封入体は、図１の断面図と上蓋を取り除いた上体での平面図をに示す様に、板状の金である５ｇの金の延べ板１１が２つ容器に封入されており、その表面には人間の目で見て認識できない可視光不可視性を有し、しかも赤外線吸収インキ１２がその重量である５ｇというパターンで印刷で設けられている。この結果設けられた印刷パターンは真贋判定情報となるその表面に設けられている。
【００５０】
この赤外線吸収インキは、
オリゴマー（脂肪族ポリエステルテトラアクリレート          ６０重量部
：サンノプコ社製  商品名フォトマー５０１８）
モノマー（トリメチロールプロパントリアクリレート          １４重量部
：日本化薬社製  商品名カヤラッドＴＭＰＴＡ）
重合開始剤（３，３  −ジメチル−４−メトキシベンゾフェノン      １重量部
：日本化薬社製  商品名カヤキュアーＭＢＰ）
重合開始剤（チオキサントン                                  ８重量部
：日本曹達社製  商品名ニッソキュアーＴＸ）
重合開始剤（４−フェノキシジクロロアセトフェノン
：サンド社製  商品名サンドリー１０００）        １重量部
白色ワセリン                                                ４重量部
Ｎ，Ｎ，Ｎ’，Ｎ’−テトラキス（ｐ−ジ−ｎ−ブチルアミノフェニル）
ｐフェニレンジアミニウムの過塩素酸塩（赤外線吸収物質）    １２重量部
からなる組成物を、膜厚２μｍで印刷して使用した。
【００５１】
この容器は、容器本体１４と上蓋１５から構成されており、容器本体１４に金の延べ板１１と非接触ＩＣタグ１３が固定され、金の延べ板１１はその表面を上蓋１５方向に向けられている。容器本体１４は、通常のプラスチックにより構成されているが、上蓋１５は透明であり、なおかつ赤外線の透過する様なプラスチックにより構成されている。そして、この上蓋１５は容器本体１４に嵌め合わせられ固定されている。
【００５２】
非接触ＩＣタグ１３は、図２の平面図で示される通り、アンテナ２１に接続されたＩＣ２２が樹脂封入されているものであって、ＩＣ２２は特定の波長の特定の信号をアンテナ２１に受信した場合、その信号の受信電力を基に駆動するもので、その動作は、特定の波長の特定の信号をアンテナ２１に受信した場合、メモリ内の価値情報をアンテナ２１を通じて送信する動作を行うものである。本実施例の場合、メモリ内の価値情報としては、５ｇの金の延べ板が２枚封入されている旨の情報を用いている。
【００５３】
具体的な製造方法としては、直接金の延べ板１１に赤外線吸収インキ１２を印刷でパターン形成し、その価値情報を非接触ＩＣタグ１３に書き込む。この上で、容器本体１４内に金の延べ板１１と非接触ＩＣタグ１３を固定し、最後に上蓋１５を嵌め込んで接着して固定して製造する。
【００５４】
実際の使用状況の例を以下述べる。
【００５５】
パチンコ遊戯者は、パチンコカードや現金で購入したパチンコ玉を用いてパチンコを行う。最終的に、パチンコで得られたパチンコ玉を店内の景品交換所にてその玉数に応じて本発明の貴金属封入体１と交換する。これは、スロットマシーン等で遊戯した場合も同様である。
【００５６】
得られた貴金属封入体１はパチンコ店外の景品買取所に持ち込まれる。景品買取所ではいったん貴金属封入体１を預かり、図３の真贋判定装置に掛けて、真贋か検査する。
【００５７】
真贋判定装置は、貴金属封入体１の搬送装置３４、赤外線照射装置３５、赤外線撮像装置３６、非接触ＩＣタグ交信装置３７、警報装置（図示せず）、これら赤外線撮像装置３６や非接触ＩＣタグ交信３７や警報装置に接続された装置真贋判定システム３８からなっている。
【００５８】
景品買取所で受け取った貴金属封入体１は真贋判定装置に入れ、検査前の貴金属封入体３１となる。検査前の貴金属封入体３１は順次１個ずつ搬送装置３４で搬送され、検査位置に移動する。検査位置に移動した貴金属封入体１は検査中の貴金属封入体３２となる。
【００５９】
検査中の貴金属封入体３２は、その表面を赤外線照射装置３５にて照らされる。その赤外線は、上蓋１５を透過して金の延べ板１１の表面に達する。ここで、赤外線吸収インキ１２のある部分では赤外線が吸収され、赤外線が反射することはない。対して赤外線吸収インキ１２のない部分では赤外線が吸収されず、赤外線が反射する。赤外線吸収インキ１２は金の延べ板１１の表面で５ｇというパターン状に設けられているため、結局、反射される赤外線のパターンは、５ｇというパターンのネガパターンとなる。
【００６０】
この赤外線反射パターンは赤外線撮像装置３６により撮像され、その撮像結果は真贋判定装置本体３８に送られる。
【００６１】
さらに、非接触ＩＣタグ交信装置３７から検査中の貴金属封入体３２の非接触ＩＣタグ１３のアンテナ２１に対して２．４５Ｇの微弱電波の搬送周波数に乗せた呼び出し信号を発信する。これをアンテナ２１で受信してＩＣ２２にてメモリ内の応答信号を逆にアンテナ２２を介して応答信号を送信する。応答信号は、２．４５Ｇの微弱電波の搬送周波数に乗せた応答信号で、その意味するところは、金、２個、５ｇという内容である。応答信号を受信した非接触ＩＣタグ交信装置３７は、その受信信号のみを接続されている真贋判定システム３８に送信する。
【００６２】
真贋判定システム３８では、受け取った赤外線撮像装置３５からの撮像結果と、非接触ＩＣタグ交信装置３７からの受信信号を処理し、その両方の結果から照合し、真贋判定を行う。例えば、撮像画像から得られる真贋判定情報が５ｇであり、応答信号から得られる真贋判定情報が金、２個、５ｇである場合は、１０ｇ相当の金の価値を有するものとして判定され、搬送装置３４にて搬送され、検査後の貴金属封入体３３となり、その価値に応じた金額で貴金属封入体を買い取られ、相当の金額が景品買取所から遊戯者に支払われるる。
【００６３】
最後に、買い取られた貴金属封入体１は、景品問屋へ売却され、景品問屋からさらにパチンコ店に売却され、還流されることとなる。
【００６４】
それに対して真贋判定装置で撮像情報か応答信号がないと判断されたり、撮像情報と応答信号が不一致とされた場合は、不正な貴金属封入体であると判断し、真贋判定装置本体から警報装置に警報信号が出され、警報装置にて警報音を発したり警告表示を行ったりする。この場合、必要に応じて警察や警備会社へ通報システムで自動通報する様になっていても構わない。
【図面の簡単な説明】
【００６５】
【図１】本発明の貴金属封入体を示すもので、（ａ）は（ｂ）のＡ−Ａ線による断面図であり、（ｂ）は上蓋を除いた状態の平面透視図である。
【図２】非接触ＩＣタグの平面図である。
【図３】本発明の貴金属封入体の真贋判定方法を実施している状態の概念断面図である。
【図４】非接触ＩＣタグの断面図である。
【図５】本発明の真贋判定システムの動作説明図である。
【符号の説明】
【００６６】
１    貴金属封入体
７    接着層
８    第一基材
９    第二基材
１１    金の延べ板
１２    赤外線吸収インキ
１３    非接触ＩＣタグ
１４    容器本体
１５    上蓋
２１    アンテナ
２２    ＩＣ
２７    読取機
３１    検査前の貴金属封入体
３２    検査中の貴金属封入体
３３    検査後の貴金属封入体
３４    搬送装置
３５    赤外線照射装置
３６    赤外線撮像装置
３７    非接触ＩＣタグ交信装置
３８    真贋判定システム
３９    警報装置
５１    １次コイル
５２    ２次コイル
５３    制御基板
５４    ＲＯＭ
５５    ＥＥＰＲＯＭ
５６    ＣＰＵ
５７    読取ヘッド
５８    ２次コイル
５９    読取インターフェイス
【図１】
2009153799.tif 000004
【図２】
2009153799.tif 000005
【図３】
2009153799.tif 000006
【図４】
2009153799.tif 000007
【図５】
2009153799.tif 000008